Podtech/llm-jp-corpus-v4-ja_patent huggingface dataset:
(57)【要約】【課題】  ペットボトルを腰やカバン等に吊り下げて携帯することができるとともに、片手で簡単にペットボトルの着脱ができる携帯型ペットボトルホルダーを提供する。【解決手段】  符号１０を腰やカバンに掛けてペットボトルを携帯し、伸縮可能なバネ式加工がなされた符号１で、ペットボトルの首部分を挟み込む手段を設けることにより、自在にペットボトルの着脱を可能にしたことを特徴とする。【選択図】図１
0003129518.tif 000002
【実用新案登録請求の範囲】
【請求項１】
腰ベルトやカバン等の一部分を符号１０に挟み込み、ペットボトルを携帯できる手段を一端に設け、ペットボトルの首部分を固定する符号１が伸縮可能なバネ式であるという特徴を利用し、ホルダーから容易にペットボトルを着脱させることを可能にした、携帯型ペットボトルホルダー。
【請求項２】
窪み部分符号８を設け、タオルなどを掛けることも可能にした、請求項１記載の携帯型ペットボトルホルダー。
【考案の詳細な説明】
【技術分野】
【０００１】  本考案は、ペットボトルを携帯する際に使用するペットボトルホルダーに関する。
【技術背景】
【０００２】  従来のペットボトルホルダーはペットボトルを袋に入れ、袋に取り付けられた紐を肩や腰に掛ける構造のものや、ペットボトルを裸のままペットボトルの首部分にゴム輪や紐輪等を掛けて、腰や肩に吊るす構造のものが存在する。
【考案の開示】
【考案が解決しようとする課題】
【０００３】  しかし袋に入れてペットボトルを携帯する構造のものは、ペットボトルを袋から出し入れするのに手間がかかる。さらに、袋に入れたままでは中身が飲みにくいという弊害も生じる。また、ペットボトルを裸のまま携帯できる構造のものは、ペットボトルホルダーからペットボトルを着脱するのが容易にできないものが多い。さらに紐で吊り下げて腰や肩に携帯すると、歩行時にぶら下げられたペットボトルが揺さぶられ、歩行等の邪魔になる。
【課題を解決するための手段】
【０００４】  そこで本考案では、ペットボトルがホルダーにしっかりと固定され、且つ着脱が容易にできる手段として、ペットボトルの首部分を両サイドから挟んで固定する方法をとり、挟む材質を伸縮可能のバネ式金物にした。そうすることによりペットボトルをペットボトルホルダーに取り付け時には、バネ式金物がペットボトルを挟み込み、しっかりと固定される。取り外し時には、ペットボトルを片手で引っ張るだけでバネ式金物が伸び、簡単にペットボトルをペットボトルホルダーから取り外せることを可能にしたのである。
【実施例】
【０００５】  本考案は、次のように本考案の精神を逸脱しない限りにおいて種々の改変を行って実施することが可能であって、そして本考案はこれ等を改変実施されたものにも及ぶものである。
・ペットボトルホルダーの材質を金物ではなく、合成樹脂などの、別の材質に変えて製作する。
・ペットボトルの首部を挟む符号１を、サイズ違いや形状違いにして、同じ用途で使用する。
【考案を実施するための最良の形態】
【０００６】  図は本考案の実施例を示したものであり、以下、この実施例について説明する。まず、符号１がペットボトルの首部分を挟み込むバネ式の金物であり、符号２と符合３の間の空間６に、ペットボトルの首部分を挟んでペットボトルを取り付けることができる。前述した通り、符号１の金物はバネ式になっており、ペットボトルの首部分を符号１の先端部分である、符号４と符号５の狭間に押しあてると、符号１の口元が開き、符号２と符号３の間に首部分が入り込み、空間部分符号６に収まる。首部分が空間部分符号６に収まると、再び先端部分の符号４と符号５が縮み、ペットボトルの首部分を挟み込んだ状態となる。【０００７】  また、窪み部分符号８を設けることによって、窪み部分にタオル等を掛けることが可能である。さらに、窪み部分符号８を設けることによって、符号７と符号９の間に空間が生まれ、ペットボトルホルダーを腰に掛けた際、ペットボトルが足にぶつかり、歩行時の邪魔になるという事態を回避できる。【０００８】  さらに、符号１０の曲げ加工を施すことにより、腰やカバンへ引っ掛けて気軽に持ち歩くことができる構造となっている。【０００９】  符号１によって固定されているペットボトルの首部を、開口部分の方向に引っ張ると、ペットボトルの首部を挟んでいる符号２と符号３が外側に開き、片手で簡単にペットボトルをペットボトルホルダーから取り外すことが可能である。
【考案の効果】
【００１０】よって、本考案の携帯型ペットボトルホルダーにより、片手で簡単にペットボトルの着脱が可能になり、ペットボトルホルダーから、ペットボトルを外す際に生じる弊害がなくなる。またペットボトルの首部分がしっかりと固定されているので、歩行時にペットボトルが揺さぶられ、歩行の邪魔になることもない。また符合１０を引っ掛けるだけでペットボトルホルダーは固定されるので、ズボンの腰やカバン等、様々な箇所に引っ掛けて使用することができる。
【図面の簡単な説明】
【００１１】
【図１】  本考案に係る携帯型ペットボトルホルダーの斜視図である。
【図２】  使用時に伸縮するバネ式金物の状態を示す平面図である。
【図３】  使用状態を示す側面図である。
【符号の説明】
【００１２】１．バネ式金物具
２．ペットボトル首部挟み部
３．ペットボトル首部挟み部
４．バネ式金物先端部
５．バネ式金物先端部
６．空間部
７．こぼれ止め部
８．タオル掛け用窪み
９．こぼれ止め部
１０．ベルト掛け具
１１．ペットボトル
【図１】
0003129518.tif 000003
【図２】
0003129518.tif 000004
【図３】
0003129518.tif 000005
【手続補正書】
【提出日】平成18年9月7日(2006.9.7)
【手続補正１】
【補正対象書類名】実用新案登録請求の範囲
【補正対象項目名】全文
【補正方法】変更
【補正の内容】
【実用新案登録請求の範囲】
【請求項１】
衣服の腰及びベルトや、カバンなどの一部分に考案のフックを掛けて、ペットボトルを携帯できるという手段を一端に設け、ペットボトルの首部分を挟み込む半円形状のホルダーが伸縮可能なバネ式であるという特徴を利用し、ホルダーから容易にペットボトルを着脱させることを可能にした、携帯型ペットボトルホルダー。
【請求項２】
フックとホルダーの間にタオルやキーホルダーなどを掛けるための窪み部分を設けた、請求項１記載の携帯型ペットボトルホルダー。
【手続補正書】
【提出日】平成18年11月11日(2006.11.11)
【手続補正１】
【補正対象書類名】実用新案登録請求の範囲
【補正対象項目名】全文
【補正方法】変更
【補正の内容】
【実用新案登録請求の範囲】
【請求項１】
ペットボトルを衣服の腰及びベルトやカバン等の一部分に掛けるためのフックが一端に設けられており、フックと連結されており、ペットボトルの首部分をバネ性により着脱自在に挟み込む半円形状のホルダーを有する事を特徴とした、携帯型ペットボトルホルダー。
【請求項２】
フックとホルダーの間にタオルやキーホルダーなどを掛けるための窪み部分を設けた、請求項１記載の携帯型ペットボトルホルダー。
(57)【要約】      （修正有）【課題】あおり止めが簡単に振動などで外れたり、他人により外されてしまう不都合を解決したロック付あおり止めを提供する。【解決手段】あおり止めの先端の引っ掛ける部分を切り取り、かわりにダイヤルロックを溶接し取り付け、ダイヤルロックの機能を持たせ簡単にあおり止めが外れないようにしたダイヤルロック付あおり止め。これにより安全性が確保され、防犯機能が向上した。【選択図】図１
0003129520.tif 000002
【実用新案登録請求の範囲】
【請求項１】
あおり止めにダイヤルロック機能を持たせたロック付あおり止め。
【請求項２】
あおり止めにシリンダ鍵機能を持たせたシリンダ鍵付あおり止め。
【考案の詳細な説明】
【技術分野】
【０００１】本考案は、扉に使用するあおり止めに関する。
【背景技術】
【０００２】従来のあおり止めではロックがない為小児が誤って外してしまうことがあった。
また、あおり止めを扉の簡易鍵として使用した場合簡単に開けることができた。
（図２）。
【考案の開示】
【考案が解決しようとする課題】
【０００３】しかし、これでは安全性や防犯機能が確保できなかった。
【課題を解決するための手段】
【０００４】そこで、あおり止めにロック機能を持たせることにより安全性を高めることができる。
（図１）。
【考案の効果】
【０００５】よって、本考案によりに開けられることがなくなり小児に対する安全性が確保された。また、防犯機能も向上した。
【考案を実施するための最良の形態】
【０００６】あおり止めとロック（ダイヤルロックまたはシリンダ鍵）を直接溶接することが望ましい。材質は鉄またはステンレスが望ましい。
【図面の簡単な説明】
【０００７】
【図１】本考案に係る、あおり止めに（シリンダ鍵またはダイヤルロック）を装着した図である。
【図２】従来のあおり止めの図である。
【図１】
0003129520.tif 000003
【図２】
0003129520.tif 000004
【手続補正書】
【提出日】平成18年11月7日(2006.11.7)
【手続補正１】
【補正対象書類名】実用新案登録請求の範囲
【補正対象項目名】全文
【補正方法】変更
【補正の内容】
【実用新案登録請求の範囲】
【請求項１】
アオリ止めの先端の引っ掛ける部分を切り取りにかわりにダイヤルロックを溶接し取り付けダイヤルロックの機能を持たせ簡単にアオリ止めが外れないようにしたダイヤルロック付アオリ止め。
【手続補正２】
【補正対象書類名】明細書
【補正対象項目名】全文
【補正方法】変更
【補正の内容】
【考案の詳細な説明】
【技術分野】
【０００１】本考案は，扉に使用するあおり止めに関する。
【背景技術】
【０００２】従来のあおり止めではロックがないため振動などで外れてしまうことがあった。
また、あおり止めを扉の簡易鍵として使用した場合簡単に開けることができた。
（図２）。
【考案の開示】
【考案が解決しようとする課題】
【０００３】しかし、これでは安全性や防犯機能が確保できなかった。
【課題を解決するための手段】
【０００４】そこで、あおり止めにロック機能を持たせることにより安全性を高めることができる。
（図１）。
【考案の効果】
【０００５】よって、本考案により簡単に開けられたり外れる事が無くなり安全性が確保された。また、防犯機能も向上した。
【考案を実施するための最良の形態】
【０００６】あおり止めとロック（ダイヤルロック）を直接溶接することが望ましい。
材質は鉄またはステンレスが望ましい。
【図面の簡単な説明】
【０００７】
【図１】本考案に係る、あおり止めに（ダイヤルロック）を装着した図である。
【図２】従来のあおり止めの図である。
【手続補正３】
【補正対象書類名】図面
【補正対象項目名】全図
【補正方法】変更
【補正の内容】
【図１】
0003129520.tif 000005
【図２】
0003129520.tif 000006
(57)【要約】      （修正有）【課題】ＤＶＤディスクの使用残量の計測とプリントアウトに必要なディスクの内径及び外径を計測する。【解決手段】ＤＶＤディスクと同等の形状シート（ディスク）に録画時間及び記録ＧＢ数とを判定できる、計測部分１及び２を設け、印刷範囲を簡単に確認できる３及び４を設ける事により、ＤＶＤディスクでのデータ等の整理整頓、保管に役立つ。【選択図】図１
0003129513.tif 000002
【実用新案登録請求の範囲】
【請求項１】
ＤＶＤディスク本体「映像録画面（裏面）」にあわせて、既に録画で使用した部分（面の変色部分）を測定し、残りの録画可能時間を判定するシート（ディスク）です。
【請求項２】
ＤＶＤディスク本体「データ記録面（裏面）」にあわせて、既にデータ等の記録で使用した部分（面の変色部分）を測定し、残りの記録可能ＧＢ数を判定するシート（ディスク）です。
【請求項３】
ＤＶＤディスク本体「印刷面（表面）」にあわせて、内径から外径を測定し印刷範囲を計測するシート（ディスク）です。
【考案の詳細な説明】
【技術分野】
【０００１】本考案はＤＶＤディスク（シート）に映像録画時間及びデータ記録数残量を判定する計測部分と保存の為に記入する印刷範囲を計測出来る部分を設けた計測器に関するものである。
【背景技術】
【０００２】ＤＶＤディスクの使用において、総容量（録画時間１２０分・記録４．７ＧＢ）から使用した（変色した）部分を目視目安で判定していた。
又、印刷範囲においてはプリンター（パソコン）に印刷範囲（内径・外径）をインプットする関係上、物差しで何回も計って範囲を確認し、インプットしている現状である。
【考案の開示】
【考案が解決しようとする課題】
【０００３】ＤＶＤディスクが開発発売され約１２年になるが、この類の計測器は無くＤＶＤディスクの最大許容範囲（４．７ＧＢ・１２０分）を満足して使うこと無く、大半のＤＶＤディスクを無駄使いしている現状にある。このシート（ディスク）により目視目安ではなく、計算されたデータ等の保存、整理、整頓が出来、前述の欠点を解決しようとするものである。
【課題を解決するための手段】
【０００４】本考案は、ＤＶＤディスク本体と同等の寸法シート（ディスク形状のシート）に実際に使用（録画・記録）した時間及びＧＢを計測し寸法を記入、誰が見ても一目で使用状況が理解出来る事により、問題点を解決している。
【考案の効果】
【０００５】上述の様に、ＤＶＤディスク残量確認及び印刷範囲確認シートは、ＤＶＤディスクの最大許容量（▲１▼映像録画は時間で表す１２０分、▲２▼データの記録はＧＢで表す４．７ＧＢ、▲３▼印刷範囲はｍｍで表す）を１００％有効に使い、データの保存、整理整頓を容易にし、老若男女にも安心して簡単に使用、理解出来るものである。
【考案を実施するための最良の形態】
【０００６】ＤＶＤディスク残量確認及び印刷範囲確認シートは図２、３でディスクの残量を計測し、図４、５で印刷範囲を計測する。
【実施例】
【０００７】以下添付図面に従って一実施例を説明する。図１、の本体はＤＶＤディスクと同じ材料のＰＰを使用、ディスクと同じ形状のシート及びディスクを作成し印刷する。ディスクの残量は図２、３で測定し、印刷範囲は図４、５で測定する。
【図面の簡単な説明】
【０００８】
【図１】本考案のＤＶＤディスク記録（録画）時間残量確認シート及びインクジェットプリンター印刷範囲確認シートの一実施例を示す正面図である。
【符号の説明】
【０００９】１．  シート（ディスク）本体
２．  映像録画残量計測部分
３．  テータ記録残量計測部分
４．  ＤＶＤディスクの内径計測部分
５．  ＤＶＤディスク外径計測部分
【図１】
0003129513.tif 000003
【手続補正書】
【提出日】平成18年7月7日(2006.7.7)
【手続補正１】
【補正対象書類名】実用新案登録請求の範囲
【補正対象項目名】全文
【補正方法】変更
【補正の内容】
【実用新案登録請求の範囲】
【請求項１】
ＤＶＤディスクと同形状、且つ同寸法のプラスチックのシートにＤＶＤディスクの記録時間を計測する部分と、データ保存時に使用するプリント面の印刷範囲を計測する部分、この二つの部分を有する事を特徴とするＤＶＤディスク判定シート。
【手続補正２】
【補正対象書類名】明細書
【補正対象項目名】全文
【補正方法】変更
【補正の内容】
【考案の詳細な説明】
【技術分野】
【０００１】本考案はＤＶＤディスクと同形状、且つ同寸法の１枚のプラスチックのシートに、記録時間を計測する部分と、データ保存時に使用するプリント面の印刷範囲を計測する部分、この二つの部分を有する計測器に関するものである。
【背景技術】
【０００２】ディスクの使用残量を確認する場合、記録し変色した部分から残量時間を目視目安で判定する意外に方法が無い為、１枚のディスクに厳密な追記可能時間が判定出来ない。更に、印刷面においてはパソコンに印刷範囲である内径・外径をインプットする必要があり、物差しで何回も計って範囲を判定し、インプットしている現状である。
【考案の開示】
【考案が解決しようとする課題】
【０００３】ディスクの容量一杯にデータを整理、整頓して保存する事は容易ではなく、不経済的なディスクの使用状況である。従ってディスクと同形状のシートに計測器を設ける事により、残量時間や印刷範囲の判定が容易に出来、前述の欠点を解決しようとするものである。
【課題を解決するための手段】
【０００４】本考案は、ＤＶＤディスクで実際に録画・記録し変色した部分を計測、その変色した部分から時間と寸法を割り出しディスクと同形状のシートに簡単に計測可能な寸法を印刷、このシートを記録面及び印刷面にあわせると残量時間及び印刷範囲が容易に判断できる事により問題点を解決している。
【考案の効果】
【０００５】上述の様に、ディスクの記録残量確認及び印刷範囲確認シートは、ＤＶＤディスク使用において、１．映像録画は時間で表す１２０分、２．データの記録はＧＢで表す４．７ＧＢ３．ディスクの印刷範囲はｍｍで表すを、このシートを使用する事により誰にでも簡単に理解出来、安心して使用可能なものである。しかもディスクを無駄なく１００％有効に使い、大量のデータ保存、整理整頓を容易にする。
【考案を実施するための最良の形態】
【０００６】ディスクの記録残量確認及び印刷範囲確認シートはＤＶＤディスクと同形状、且つ同寸法の１枚のシートに、記録残量時間及び印刷範囲を計測可能な二つの計測部分を設ける。
【実施例】
【０００７】以下添付図面に従って一実施例を説明する。図１の本体はＤＶＤディスクと同じ材料を使用、ディスクと同形状、且つ同寸法のシートを作成し印刷する。ディスクの記録時間残量は図１．３で計測し、印刷範囲は図４．５で計測し判定する。
【図面の簡単な説明】
【０００８】
【図１】本考案のＤＶＤディスク記録時間残量確認シート及びインクジェットプリンター印刷範囲確認シートの一実施例を示す正面図である。
【符号の説明】
【０００９】１．シート本体２．映像録画残量計測部分３．テータ記録残量計測部分４．ＤＶＤディスクの内径計測部分５．ＤＶＤディスク外径計測部分
【手続補正３】
【補正対象書類名】図面
【補正対象項目名】全図
【補正方法】変更
【補正の内容】
【図１】
0003129513.tif 000004
(57)【要約】      （修正有）【課題】従来の針や糸を使わずに簡単にボタンの取り付けができ磨耗しにくい新種の糸を使う事によりボタンの落失を防ぐ。【解決手段】合成樹脂を素材とした仕掛け糸を使用する事により洗濯などの磨耗から防ぎ、細工を施した仕掛け糸により針を使わずに、専用の熱融着器により容易にボタンを衣服に固定する。【選択図】図１ａ
0003129512.tif 000002
【実用新案登録請求の範囲】
【請求項１】
多種ある化学合成樹脂の中から、糸状にしても引っ張りに強くかつ熱融着が容易で撥水性をもつ樹脂（例えばポリプロピレン系）を素材として作られたボタンを容易に取り付ける為の部材で、その形状は片方が細穴が開いた玉になっておりもう片方は針の先きの様に鋭利に固く作られている。
これを、セットとなった熱融着器によって熱融着することにより簡単に、ボタンを、付けられるようにした、ボタン付けセット。
【請求項２】
セットとする熱融着器はハンドタイプに作られておりサ−モスタット内蔵で熱融着に必要かつ最小限の熱容量を与える様に作られている。
既に＝シ−ラ−＝と呼ばれポリ袋などを熱融着によって閉じる機器が市販されているが、これを小型化したもので簡単に製造できるものと思える。
【考案の詳細な説明】
【技術分野】
【０００１】本考案は、従来の針、糸に替わってボタンの取り付けを容易にし、かつ幾度もの洗濯により糸が傷んでボタンが落失することを防ぐ事に関するものである
【背景技術】
【０００２】従来、ボタン付けは針、糸を使って手作業で行われるか、ミシンによる特殊器具を使って行われて来た。
【考案が解決しようとしする課題】
【０００３】ボタン付けは針や糸を使う為、苦手な若者も増えてきており、また目の不自由な老人も増えている昨今、なんとかならないかと思うことが多い。
又ふつうに使われている糸では、度重なる洗濯により磨耗し知らないうちにボタンが落失していることも頻繁である。
【課題を解決するための手段】
【０００４】本考案は、針や糸を使わずにボタンを取り付ける様考案したものである。、
従来の糸の代わりに、合成樹脂でできた仕掛け糸を使用する。
仕掛け糸は片方が細穴が開いた玉状になっており、又片方は針の様に固く鋭利に加工されている。この鋭利な方を衣服の裏から刺し通しボタン穴を通し、返して、もう片方のボタン穴を通し衣服を刺し通し戻して、この先端をもう片方の玉状の細穴に通し適度に絞めた後、セットの融着器によって熱融着する。
【考案の効果】
【０００５】上記の様にする事により針を使わず取り付けができるので針の苦手な若者や、目の不自由な老人も、針穴に糸を通すという難行から解放される。又、糸が水や引っ張りに強い合成樹脂で作られている為、度重なる洗濯によっても落失する事がない。
【実施例】
【０００６】以下、添付図面によって実施例を示す。
【図面の簡単な説明】
【０００７】
【図１ａ】考案品の仕掛け糸で１が細穴をもつ玉の部分、２が針先状の先端部
【図１ｂ】仕掛け糸の先端を服地の裏から通しボタンを通して締め付け寸前の状態
【図１ｃ】締め付け後、熱融着し終わり、無駄な糸を切り捨て、取り付け完了図
【図２】図２ａ、図２ｂ、図２ｃはボタンに四つ穴がある場合の、仕掛け糸とその取り付け説明図である。
【図３】熱融着器の簡易図で、１は融着部分、２はサ−モスタット、ニクロム線内蔵の持ち手の部分である。
【図１ａ】
0003129512.tif 000003
【図１ｂ】
0003129512.tif 000004
【図１ｃ】
0003129512.tif 000005
【図２】
0003129512.tif 000006
【図３】
0003129512.tif 000007
【手続補正書】
【提出日】平成18年3月17日(2006.3.17)
【手続補正１】
【補正対象書類名】実用新案登録請求の範囲
【補正対象項目名】全文
【補正方法】変更
【補正の内容】
【実用新案登録請求の範囲】
【請求項１】
多種ある化学合成樹脂の中から、糸状にしても引っ張りに強くかつ熱融着が容易で溌水性をもつ樹脂を素材として作られており、その詳細な形状は片方は細穴が開いた玉になっており、もう片方は針の先きの様に鋭利に固く作られており、中間の部分は糸状になっていて、これを、セットとなった熱融着器によって熱融着することによりボタンを、衣服に付けるための仕掛け糸。
【請求項２】
請求項１に記載した仕掛け糸を熱融着するためにセットとする熱融着器は［図３］のようなハンドタイプの形状をしており、その構造は先端に融着部分を持ち中間部分にニクロム線による加熱部と制御用サーモスタットを内蔵して熱融着に必要かつ最小限の熱容量を与える様に作られており、根元はホッチキスの様にバネ仕掛けになっている小型熱融着器。
【手続補正書】
【提出日】平成18年6月8日(2006.6.8)
【手続補正１】
【補正対象書類名】実用新案登録請求の範囲
【補正対象項目名】請求項２
【補正方法】変更
【補正の内容】
【請求項２】
請求項１に記載した仕掛け糸を熱融着するための融着器は、片手で容易に持てるように作られたハンドタイプで、その形状は二本の直方体の片方を同一軸で留めかつ可動制をもたせた、ひらがなの＝く＝の字に似た形をしており、その構造は両先端に樹脂性糸を挟んで熱融着する融着部分を持ち、両枝中間部分に電気仕掛けのニクロム線による加熱部分と制御用サーモスタットを内蔵して、熱融着に必要かつ最小限の熱容量を与える様に作られており、根元はホッチキスの様にバネ仕掛けになっていて電源は家庭用のＡＣ１００Ｖによる小型熱融着器。
【手続補正書】
【提出日】平成18年9月14日(2006.9.14)
【手続補正１】
【補正対象書類名】実用新案登録請求の範囲
【補正対象項目名】請求項２
【補正方法】変更
【補正の内容】
【請求項２】
請求項１に記載した仕掛け糸を熱融着するための融着器は、片手で容易に持てるように作られたハンドタイプで、その形状は二本の直方体のそれぞれの片端を同一軸で留め、かつ可動性を持たせた、＝く＝の字に似た形をしており、その構造は両先端に樹脂性糸を挟んで熱融着する融着部分を持ち、両枝中間部分に、ニクロム線による加熱部分とそれを制御するサーモスタットを内蔵し、融着に必要かつ最小限の熱容量を与える様に作られており、根元はバネ仕掛けになっていて電源は家庭用のＡＣ１００Ｖによる小型熱融着器。
(57)【要約】      （修正有）【課題】料理をする際にお玉を片手なべと両手なべの握手部分に固定させることができるようにする。【解決手段】片手なべの場合、なべ本体付け根部分上部にＵ字凹形を有した突起状のお玉置き部を設ける。両手なべの場合、一方の両側握手の片側部にＵ字凹形を有したお玉置き部を設ける。なべ蓋にお玉の柄より少し大きい欠き込み、なべ蓋欠き込み部を設ける。【選択図】図７
0003129516.tif 000002
【実用新案登録請求の範囲】
【請求項１】
片側握手（４）または両側握手（６）の一方に、お玉置き部（５）を設けたなべ
【請求項２】
お玉（３）固定用握手凹部及び、なべ蓋欠き込み部（８）を装備することを特徴とする実用新案登録請求の範囲の請求項１のなベ
【考案の詳細な説明】
【技術分野】
【０００１】  本考案は、料理をする際にお玉をなべの握手部分に固定させるためのものである。
【背景技術】
【０００２】  従来は、なべのふたの上にお玉をそのまま置いたり、別の場所に置いたお玉置き台に立てかけて置いていた。
【考案の開示】
【考案が解決しようとする課題】
【０００３】  従来の技術は次のような欠点があった。
（１）従来のとおり、なべのふたの上に置いていると、料理中ふたから滑り落ちる危険性があった。またふたも取りづらかった。
（２）お玉置き台に立てかけると、いちいちお玉をなべと台の間を移動させなくてはいけないため、わずらわしかった。お玉置き台も汚れ易く、ごみや虫などがつき不潔になり、こまめに洗わなくてはならなかった。
（３）お玉を置く場所により、料理の効率が悪くなっていた。
【課題を解決するための手段】
【０００４】  片手なべの場合、片側握手（４）のなべ本体（１）付け根部分上部にＵ字凹形を有した突起状のお玉置き部（５）を設ける。Ｕ字の凹形部にお玉（３）の中心部を乗せ、片側握手（４）先端部でお玉の握り部分にあたる位置に窪み状の握手凹部（７）を設ける。
両手なべの場合、対になる一方の両側握手（６）の片側部にＵ字凹形を有したお玉置き部（５）を設ける。Ｕ字の凹形部にお玉（３）の中心部を乗せる。
片手なべの、なべ本体（１）付け根部分上部にＵ字凹形を有した突起状のお玉置き部（５）に、また両手なべの、Ｕ字の凹形部にお玉（３）の中心部を乗せても、なべ蓋（２）がかぶせられるよう、なべ蓋（２）にお玉（３）の柄より少し大きい欠き込み、なべ蓋欠き込み部（８）を設ける。
【考案の効果】
【０００５】（１）お玉が常になべのふちにあるので料理がはかどり、料理の効率性に優れている。
（２）あえてお玉を置く台が必要なく、経済的である。
（３）なべの蓋をしても、お玉が収納でき、かつ把手といっしょにお玉を握れば料理の利便性に富んでいる。
（４）料理中ごみや虫などがお玉を通してなべの中に侵入するのを防ぐことができ、衛生的である。
【実施例】
【０００６】  片手なべで説明すると、片側握手（４）のなべ本体（１）根元部分にごく近い位置の上部にＵ字状の窪んだ凹形を有した突起状のお玉置き部（５）を設ける。Ｕ字に窪んだ凹形部にお玉（３）の中心部の柄を乗せ、ちょうど片手なべ握手先端部であり、またお玉の握り部分とがあたる位置で、二つが重なり合い凹凸の隙間を埋めるよう窪み状の握手凹部（７）を設ける。
両手なべで説明すると、両手なべの一方である両側握手（６）の片側部にＵ字凹形を有した溝状のお玉置き部（５）を設ける。Ｕ字の凹形部にお玉（３）の中心部の柄を乗せる。
片手なべのなべ本体（１）付け根部分上部に設けたＵ字凹形を有した突起状のお玉置き部（５）にお玉（３）の中心部を乗せても、また同じように、両手なべのＵ字の凹形部にお玉（３）の中心部を乗せても、双方なべ蓋（２）がかぶせられるよう、なべ蓋（２）にお玉（３）の柄より少し大きい欠き込み、なべ蓋欠き込み部（８）を設ける。【０００７】  なべ蓋（２）をしたたまま、お玉（３）を収納するために、なべ蓋欠き込み部（８）があり、料理の最中でもなべの把手といっしょにお玉を握れるよう工夫されている。【０００８】  お玉置き部（５）は、お玉（３）のほか箸なども置ける構造となっている。
【図面の簡単な説明】
【０００９】
【図１】  本考案の片手なべ正面図
【図２】  本考案の片手なべ側面図
【図３】  本考案の両手なべの正面図
【図４】  本考案の両手なべの側面図
【図５】  本考案の片手なべのなべ蓋使用図
【図６】  本考案の両手なべのなべ蓋使用図
【図７】  本考案の片手なべの斜視図
【図８】  本考案の両手なべの斜視図
【符号の説明】
【００１０】  １  なべ本体
２  なべ蓋
３  お玉
４  片側握手
５  お玉置き部
６  両側握手
７  握手凹部
８  なべ蓋欠き込み部
【図１】
0003129516.tif 000003
【図２】
0003129516.tif 000004
【図３】
0003129516.tif 000005
【図４】
0003129516.tif 000006
【図５】
0003129516.tif 000007
【図６】
0003129516.tif 000008
【図７】
0003129516.tif 000009
【図８】
0003129516.tif 000010
【手続補正書】
【提出日】平成18年11月1日(2006.11.1)
【手続補正１】
【補正対象書類名】実用新案登録請求の範囲
【補正対象項目名】全文
【補正方法】変更
【補正の内容】
【実用新案登録請求の範囲】
【請求項１】
片側握手（４）または両側握手（６）の一方に、お玉置き部（５）を設けたなべ
【請求項２】
お玉（３）固定用握手凹部及び、なべ蓋欠き込み部（８）を装備することを特徴とする請求項１のなべ
(57)【要約】      （修正有）【課題】ティシュペーパーボックスホルダーを、テーブル裏面に簡単に取り付けができること及び、目視しなくてもティシュペーパーボックスを、ホルダーへ簡単に着脱できること。【解決手段】ティシュペーパーボックスホルダーを単体としたことで該ホルダー取り付け時、部品間の位置調整を不要とした。また、ガイド部Ａ，Ｂを備えたことで、目視しなくてもティシュペーパーボックスの着脱が、容易に行えることを可能にした。【選択図】図１
0003129517.tif 000002
【実用新案登録請求の範囲】
【請求項１】
（イ）図１のように、両側に支持部を備えたホルダー部と、底面及び左右いずれかの片側面が、延長した形状を特徴とする。
（ロ）底面にテーパーの付いたビス穴がある。
以上のような特徴を持つ形状のティッシュペーパーボックスホルダーである。
【考案の詳細な説明】
【実用新案登録請求の範囲】
【技術分野】
【０００１】  本考案は、ティッシュペーパーボックスのホルダーに関するものである。
【背景技術】
【０００２】  従来、食卓等テーブル背面専用に取り付けるための、ティッシュペーパーボックス用ホルダーは無かった。
【考案の開示】
【考案が解決しようとする課題】
【０００３】  この考案は、食卓背面のホルダーに、目視せずに片手で、ティッシュペーパーボックスを着脱できる形態のホルダーを開発しようとするものである。
【課題を解決するための手段】
【０００４】  いまこれを、図形により説明すれば、
図１において支持部１があるホルダー部と、Ａ・Ｂ両面で構成されるガイド部が一体化しており、２はテーパーが付いたビス穴である。
【考案の効果】
【０００５】  考案ホルダー取り付け時においては、単体である故、部品間の幅を調整する必要がなく、両面テープもしくはビスを用いれば、取り付けが簡単である。
また、ティッシュペーパーボックス装着時は、ティッシュペーパーボックスを、ガイド部Ａ及びＢに押し当てながら、ホルダー部にスライドさせれば、目視しなくても片手で簡単にセットできる効果がある。
【考案を実施するための最良の形態】
【０００６】  食卓等、テーブル裏面任意の位置に、ビス穴のある底面を上にして、ガイド部を奥にホルダー部を手前になるように、考案ホルダーを取り付ければ、ティッシュペーパーを体の近くで取り出すことができる。
【図面の簡単な説明】
【０００７】
【図１】本考案の斜視図である。
【図２】ネジ穴部の断面図である。（拡大図）
【図３】テーブル裏面に本考案ホルダーを取り付けた後、下から見た斜視図である。
【符号の説明】
【０００８】  １  支持部
２  ビス穴
Ａ  ガイド底部
Ｂ  ガイド側部
【図１】
0003129517.tif 000003
【図２】
0003129517.tif 000004
【図３】
0003129517.tif 000005
【手続補正書】
【提出日】平成18年11月7日(2006.11.7)
【手続補正１】
【補正対象書類名】実用新案登録請求の範囲
【補正対象項目名】全文
【補正方法】変更
【補正の内容】
【実用新案登録請求の範囲】
【請求項１】
（イ）ハーフサイズのティッシュペーパーボックスが僅かな隙間を保って閉じ込めること      ができる大きさの箱を、ペーパ取り出し口にあたる面を下にして横長の面を正面に      したとき、正面手前の面を切断し、底面は左右の端からそれぞれ内側に２０ミリ幅      の面を残して内側を切断してできる形状の収納部（Ａ）と、箱の左右いずれかの片      側面と上面を５０ミリ程度手前に延長してできるＬ型二面のガイド部（Ｂ）が、一      体となった形状を特徴とする。
（ロ）上面には上に向かって細くなるテーパーの付いたビス穴が複数個ある。
以上のような形状を有するティッシュペーパーボックスホルダーである。
【手続補正２】
【補正対象書類名】明細書
【補正対象項目名】全文
【補正方法】変更
【補正の内容】
【考案の詳細な説明】
【技術分野】
【０００１】  本考案は、ティッシュペーパーボックスのホルダーに関するものである。
【背景技術】
【０００２】  従来、食卓等テーブル背面専用に取り付けるための、ティッシュペーパーボックス用ホルダーは無かった。
【考案の開示】
【考案が解決しようとする課題】
【０００３】  この考案は、食卓背面のホルダーに、目視せずに片手で、ティッシュペーパーボックスを着脱できる形態のホルダーを開発しようとするものである。
【課題を解決するための手段】
【０００４】  いまこれを、図形により説明すれば、
図１において、ティッシュペーパーボックスを収納する収納部に左側面と上面を手前に延長させた形状である。  図２は、上に向かって細くなるようにテーパーが付いたビス穴がある。
【考案の効果】
【０００５】  考案ホルダー取り付け時においては、単体である故、部品間の幅を調整する必要がなく、両面テープもしくはビスを用いれば、取り付けが簡単である。
また、ティッシュペーパーボックス装着時は、ティッシュペーパーボックスホルダーの設置位置をおおよそ把握していれば、ティッシュペーパー取り出し口を下に横長面を手前になるようにしてティッシュペーパーボックスの下半分を片手で持ち、テーブル背面に押し当てながらホルダー右部の方に押していき収納部右端に触れると、左にスライドさせてガイド部左側面に当て、当たれば左上方向に軽く力を入れながら収納部へ押し込むと、目視しなくても片手で簡単にティッシュペーパーボックスをホルダーにセットできる効果がある。  なお、ガイド部側面の位置が逆の場合は、最初に押し当てる位置と次にスライドする方向等を逆にすると同様の効果が得られる。
【考案を実施するための最良の形態】
【０００６】  食卓等、テーブル裏面任意の位置に、図３とは逆の方向であるが、ガイド部を奥に支持部を手前になるように、考案ホルダーを取り付ければ、ティッシュペーパーを体の近くで取り出すことができる。
【図面の簡単な説明】
【０００７】
【図１】本考案の斜視図である。
【図２】ネジ穴部の断面図である。（拡大図）
【図３】テーブル裏面に本考案ホルダーを取り付けた後、右下から見た斜視図である。
【符号の説明】
【０００８】  Ａ  ティッシュペーパーボックス収納部
Ｂ  ガイド部
【手続補正３】
【補正対象書類名】図面
【補正対象項目名】全図
【補正方法】変更
【補正の内容】
【図１】
0003129517.tif 000006
【図２】
0003129517.tif 000007
【図３】
0003129517.tif 000008
(57)【要約】【課題】猫が有刺鉄線や木の枝に引っかかる事故に遭わないようにするための、引っかかり事故防止機能付首輪に消臭効果をも合わせ持たせた、猫の引っかかり事故防止機能付消臭首輪を提供するものである。【解決手段】ある一定の力が加わった時点で、すぐに首輪が外れるように首輪の止め具をスナップにし、中に詰める綿の代わりに、消臭効果のある炭を巻き込んだキルト綿を入れることを特徴とした猫用首輪。【選択図】図１
0003129411.tif 000002
【実用新案登録請求の範囲】
【請求項１】
ある一定の力が加わった時点で、すぐに首輪が外れるように首輪の止め具をスナップにすることを特徴とした猫用首輪。
【請求項２】
中に詰める綿の代わりに、消臭効果のある炭を巻き込んだキルト綿を入れることを特徴とする請求項１の猫用首輪。
【考案の詳細な説明】
【技術分野】
【０００１】  本考案は、猫が有刺鉄線や木の枝に引っかかる事故に遭わないようにするための、引っかかり事故防止機能付首輪に消臭効果をも合わせ持たせた、猫の引っかかり事故防止機能付消臭首輪に関するものである。
【背景技術】
【０００２】  従来、猫の首輪の止め具はバックルや、綿を詰めた紐を作り、その紐自体を結ぶという方法を用いていた。
【考案の開示】
【考案が解決しようとする課題】
【０００３】  そのために次のような問題点があった。
（イ）外出をした猫が、有刺鉄線や木の枝などに首輪が引っかかり、家に帰れなくなったり命を落とすという事故が起こることがあった。
（ロ）また、ある程度使用していると、首輪にはどうしてもペット臭がしみつく。
本考案は、以上の問題点を解決するためになされたものである。
【課題を解決するための手段】
【０００４】  ある一定の力が加わった時点で、すぐに首輪が外れるように首輪の止め具をスナップにした。また、首輪にペット臭がしみつかないように首輪の中に入れる綿の代わりに炭を巻き込んだキルト綿を入れる。
以上を特徴とする猫の引っかかり事故防止機能付消臭首輪である。
【考案の効果】
【０００５】  首輪が障害物に引っかかった時点で、猫がもがき、ある程度以上の力が加わると首輪が外れ猫は開放される。また、従来首輪にいれられていた綿はペット臭がしみつき易かったので、綿ではなく消臭効果のある炭を巻き込んだキルト綿を入れることによってペット臭の消臭が期待できる。
【考案を実施するための最良の形態】
【０００６】  以下、本考案の実施の形態を説明する。
（イ）紐皮（１）の中に、炭粒（２）を巻き込んだキルト綿（３）を詰めた本体（４）を二本作る。
（ロ）それぞれの紐の片側の端に、スナップ（５）の凹凸をつける。
本案は以上のような構造で、これを使用する時は、二本の紐をスナップのついている反対側で結び、猫の首にスナップでとめる。
【図面の簡単な説明】
【０００７】
【図１】本考案の斜視図
【図２】本考案の分解斜視図
【符号の説明】
【０００８】      １    紐皮
２    炭粒
３    キルト綿
４    紐本体
５    スナップ
【図１】
0003129411.tif 000003
【図２】
0003129411.tif 000004
(57)【要約】      （修正有）【課題】生地の裏面からの透過光によって、表面に印刷された図柄が見えにくくなることを防ぎ、経済的に安価に具現した広告幕布地を提供する。【解決手段】広告幕布地は、生地１表面に図柄印刷層４と生地裏面にシルバーのプリント加工又はグレーのプリント加工を施した遮光層２とを備えたポリエステル系生地よりなる。【選択図】図１
0003129466.tif 000002
【実用新案登録請求の範囲】
【請求項１】
生地表面に図柄印刷層と生地裏面にシルバーのプリント加工又はグレーのプリント加工を施した遮光層とを備えたポリエステル系生地よりなる広告幕布地。
【考案の詳細な説明】
【技術分野】
【０００１】
本考案は、生地の裏面からの透過光によって、表面に印刷された図柄が見えにくくなるのを防ぐための遮光技術を施した広告幕布地に関するものである。
【背景技術】
【０００２】
広告幕用の生地は、多くトロピカル系生地等が使われている。その生地の表面に印刷された図柄は、裏面からの透過光によって見えにくくなることがある。この欠点を補うために、種々なる遮光技術が開示されている。
【０００３】
印刷可能な２枚の生地を積層し、その中間に隠蔽フイルムを設けた広告印刷用積層布の技術が開示されている（特開平０９−３１８６４号公報）。この発明によると、隠蔽フイルムとして、白色ポリエステルフィルム、両面にアルミ蒸着を施したポリエステルフィルム、両面に酸化チタンを混入した塗料を塗布したポリエステルフィルム等を遮蔽層として用い、ポンジ織物に接着して積層布としている。
【０００４】
遮光の技術は、カーテンにも使われている。例えば、アルミ蒸着したポリエステルフィルムを遮蔽層とし、この遮蔽層の両面にポリエステル平織物を接着して積層布としてカーテンに使う提案があり（特開平０４−３６９５３６号公報）、又、不透明な中間層を繊維布帛層で挟着して積層布としてカーテンに使う提案もある（実開平０２−６８１２９号公報）。
【０００５】
又、遮光の技術は旗、幟にも使われている例もある。黒色緯糸と普通（白、黄、青など）色の経糸で製織して、遮光の目的を果した旗、幟用の布地の提案である（実登３０９５８２６号公報）。
【０００６】
上記に述べた遮光の技術は、裏面からの光によって、表面に印刷された図柄が、見えにくくなることを防ぐ効果は達せられるが、何れも遮蔽材として中間層を設けるとか、新たに布を織るという広告幕に使用するには経済的な問題が潜在する。
【０００７】
中間層を使用せず隠蔽性を高める方法の提案もある。ポリエスエル系生地にアルミ微粒子を蒸着する方法（特公昭６２−３２７１号公報）である。赤外線対策として利用されている技術として、酸化アルミニウムなどの微粒子状無機粉をバインダーと混合し生地に塗布することによって、輻射層を形成している例がある（実開昭６３−５０８９７号公報）。これらの技術は、単に、遮蔽剤を生地に塗装または蒸着した例であるが、何れも、広告幕布地としての機能は示唆されていない。
【特許文献１】特開平０９−３１８６４号公報
【特許文献２】特開平０４−３６９５３６号公報
【特許文献３】実開平０２−６８１２９号公報
【特許文献４】実登３０９５８２６号公報
【特許文献５】特公昭６２−３２７１号公報
【特許文献６】実開昭６３−５０８９７号公報
【考案の開示】
【考案が解決しようとする課題】
【０００８】
解決しようとする問題点は、生地の裏面からの透過光によって、表面に印刷された図柄が見えにくくなることを防ぎ、経済的に安価に広告幕を具現する点にある。
【課題を解決するための手段】
【０００９】
本考案の広告幕布地は、生地表面に図柄印刷層と生地裏面にシルバーのプリント加工又はグレーのプリント加工を施した遮光層とを備えたポリエステル系生地よりなることを最も主要な特徴とする。
【考案の効果】
【００１０】
本考案の広告幕布地は、遮光層を積層するのでなく、単に生地の裏面に直接遮光層を設けるので、隠蔽性も良く、安価に製作することが出来き、生地の表面に印刷した図柄は、広告ボケも防止され、見る人に不快感を与えないという本来の目的を果たす利点がある。
【考案を実施するための最良の形態】
【００１１】
広告幕布地に使用される生地としては、ポリエステル系の生地が、コスト、印刷表現力などの面で優れていることが、実証されている。本考案は、かかる環境下で発案されたものである。
【実施例１】
【００１２】
図１は、本考案の実施例の断面図である。
【００１３】
本考案の広告幕布地は、生地１、遮光層２、印刷面３、図柄印刷層４よりなる。生地１は、ポリエステル系の生地である。生地１の裏面にシルバーのプリント加工又はグレーのプリント加工によって遮光層２を設ける。生地１の表面は印刷面３であり、図柄は、この印刷面３に印刷され、図柄印刷層４をなす。
【００１４】
遮光層２は、生地１の裏面に、シルバーのプリント加工又はグレーのプリント加工による遮光処理によって形成される。遮光層２は、生地１の裏面からの光の透過をさえぎるので、表面に印刷された図柄が、見えにくくなるのを防ぐ効果を発揮する。
【００１５】
本考案の広告幕布地を使用して製作した広告幕は、コンビニエンスストア等の店先で使用する場合に適している。店先で使用するとき、店内からの照明が、広告幕の裏面を照射しても、広告幕は、裏面にシルバープリントによる遮光層を設けたので、その結果、広告幕の表面から見たとき、表面に印刷された図柄がボケることなく、鮮明に見ることが出来る。
【図面の簡単な説明】
【００１６】
【図１】本考案の実施例の断面図である。
【符号の説明】
【００１７】
１    生地
２    シルバープリント層
３    印刷面
４    図柄印刷層
【図１】
0003129466.tif 000003
(57)【要約】      （修正有）【課題】管体の管口は他の物体と相互に螺合することができる金属管構造を提供する。【解決手段】主に１個の管体及び少なくとも１個の金属線体を含む。該管体は少なくとも１個の管口を備え、金属線体は螺旋巻設方式により、かつ管体の少なくとも１個の管口上に溶接する。【選択図】図１
0003129423.tif 000002
【実用新案登録請求の範囲】
【請求項１】
主に１個の管体、少なくとも１個の金属線体を含み、
該１個の管体は少なくとも１個の管口を備え、
該少なくとも１個の金属線体は螺旋巻設方式により、かつ上記管体の少なくとも１個の管口上に溶接し、これにより該管体の管口は他の物体と相互に螺合することができることを特徴とする金属管構造。
【請求項２】
前記管口は2個で、それぞれ該管体の両端に設置し、かつ該２個の管口はそれぞれ上記螺旋巻設方式により設置する金属線体を溶接することを特徴とする請求項１記載の金属管構造。
【請求項３】
前記金属線体は該２個の管口の外壁面上に溶接することを特徴とする請求項２記載の金属管構造。
【請求項４】
前記金属線体は該２個の管口の内壁面上に溶接することを特徴とする請求項２記載の金属管構造。
【請求項５】
前記１個の管口の外壁には上記螺旋巻設方式により設置する金属線体を溶接し、別の１個の管口の内壁には上記螺旋巻設方式により設置する金属線体を溶接することを特徴とする請求項２記載の金属管構造。
【請求項６】
前記管口は管体一端が内径に向かい収縮し、外に向かい延伸する形態の幾何形状で、その上には上記螺旋巻設方式により設置する金属線体を溶接することを特徴とする請求項１記載の金属管構造。
【請求項７】
前記金属線体は該管口の外壁面上に溶接することを特徴とする請求項６記載の金属管構造。
【考案の詳細な説明】
【技術分野】
【０００１】
本考案は一種の金属管構造に関する。特に一種の金属線体を管体の管口上に溶接することで、他の物体と螺合する目的を達成し、その構造は簡単で、金属管の厚みを大幅に減少させることができるため、金属管のコストと重量を節減可能な効果を備える金属管構造に係る。
【背景技術】
【０００２】
公知の金属管と他の物体との相互連接方式は、コネクタを利用する方式或いは凹、凸部により直接対応固定する方式を含む。しかし、コネクタ或いは凹、凸部により直接対応固定する方式共に、該金属管は管口内壁或いは管口外径上においてネジヤマを形成する必要がある。
しかし製造時には、前記のどの方式であろうと、金属管はネジヤマ刻み作業を行うため、その管体は一定の厚みが必要である。よって金属管全体の厚みは拡大してしまい、重量が増加する他に金属管のコストも大幅に高騰する。
【考案の開示】
【考案が解決しようとする課題】
【０００３】
公知構造には以下の欠点があった。
すなわち公知の金属管は他の物体と連接するために、管口内壁或いは管口外径上にネジヤマを形成する必要があり、そのネジヤマ刻み作業のため、その管体は一定の厚みが必要である。これにより金属管全体の厚みは拡大し、重量が増加する他に金属管のコストも大幅に高騰してしまう。
本考案は上記構造の問題点を解決した金属管構造を提供するものである。
【課題を解決するための手段】
【０００４】
上記課題を解決するため、本考案は下記の金属管構造を提供する。
それは主に構造が簡単で、操作が便利で、かつコストが低い金属管構造を提供し、
すなわちそれは１個の管体及び少なくとも１個の金属線体を含み、
該管体は少なくとも１個の管口を備え、該金属線体は螺旋巻設方式により、かつ上記管体の少なくとも１個の管口上に溶接し、これにより該管体の管口は他の物体と相互に螺合することができる金属管構造を提供する。
【考案の効果】
【０００５】
上記のように、本考案の金属管構造は公知の金属管のようにネジヤマ刻みのために管壁の厚みを拡大する必要がなく、金属線体を管口上に溶接することにより、同様に他の物体と対応固定する目的を達成可能で、しかも金属管の管体厚みをさらに薄くすることもでき、全体的重量を軽減し、原料コストを大幅に低下させることができる。
【考案を実施するための最良の形態】
【０００６】
本考案金属管構造の実施例である図１〜３に示すように、本考案金属管構造は１個の管体1及び１個の金属線体2により組成する。
該管体1は１個の管口11を備え、該金属線体2は螺旋巻設方式により、かつ上記管体1の１個の管口11上に溶接し、これにより該管体1の管口11は他の物体と相互に螺合する。該金属線体2は該管体1管口11の外壁上(図2参照)或いは内壁上(図3参照)に溶接することができる。
【０００７】
次に図4に示すように、本考案金属管構造の管体1に2個の管口11、12を設置する時、該管体1の両端にそれぞれ設置し、しかも該２個の管口11、12にはそれぞれ上記螺旋巻設方式により設置する金属線体2を溶接してある。該金属線体2は該２個の管口11、12の内壁面上に溶接し(図5参照)、或いは該金属線体2は該２個の管口11、12の外壁面上に溶接する(図6参照)、或いはその内１個の管口11の外壁は上記螺旋巻設方式により設置する金属線体2を溶接してある。別の１個の管口12の内壁には上記螺旋巻設方式により設置する金属線体2を溶接する(図7参照)。
続いて図8に示すように、本考案金属管は以下の形態に設計することができる。すなわち該管口11の管体1一端は内径に向かい収縮し、外に向かい延伸する形態で、かつ該管体1外壁と幾何形状の断面を形成し、その外壁面上には上記螺旋巻設方式により設置する金属線体2を溶接する(図9参照)。
【図面の簡単な説明】
【０００８】
【図１】本考案実施例の金属管構造の金属線体を管口外壁面上に溶接する立体外観分解図である。
【図２】本考案実施例の金属管構造の金属線体を管口外壁面上に溶接した後の立体外観図である。
【図３】本考案実施例の金属管構造の金属線体を管口内壁面上に溶接する立体外観分解図である。
【図４】本考案実施例の金属管構造の金属線体を２個の管口内壁面上に溶接する立体外観分解図である。
【図５】本考案実施例の金属管構造の金属線体を２個の管口内壁面上に溶接する立体外観図である。
【図６】本考案実施例の金属管構造の金属線体を２個の管口外壁面上に溶接する立体外観図である。
【図７】本考案実施例の金属管構造の金属線体をそれぞれ管口外壁面上及び内壁面上に溶接する立体外観図である。
【図８】本考案別種の実施例の金属管構造の立体外観分解図である。
【図９】図8の立体外観図である。
【符号の説明】
【０００９】
1  管体
11 管口
12 管口
2  金属線体
【図１】
0003129423.tif 000003
【図２】
0003129423.tif 000004
【図３】
0003129423.tif 000005
【図４】
0003129423.tif 000006
【図５】
0003129423.tif 000007
【図６】
0003129423.tif 000008
【図７】
0003129423.tif 000009
【図８】
0003129423.tif 000010
【図９】
0003129423.tif 000011